(57)【特許請求の範囲】
【請求項１】
アクチュエータ及び／又はセンサー並びにフィールドバスのための差込接続部（５，６）を備えた電気的な装置、殊にフィールドバス・加入者ユニット（１）であって、ケーシング（７）を備えていて互いに並列配置可能なモジュール（２，３）から成っており、該モジュールが電気的な信号及び作動電圧の転送のためのブリッジ部材（４）によって互いに接続可能であり、各ブリッジ部材（４）がそれぞれ２つの差込コネクタ（３１）を有し、かつ各モジュール（２，３）がそれぞれ２つの対応差込コネクタ（２５，２６）を有しており、各ブリッジ部材（４）の差込コネクタ（３１）が並んで位置する２つのモジュール（２，３）の互いに向き合わされた両方の対応差込コネクタ（２５，２６）内に差込可能である形式のものにおいて、対応差込コネクタ（２５，２６）に対応してモジュールケーシング（７）にシリンダー形の貫通案内（１９）が配置されており、各差込コネクタ（３１）がそれぞれ１つの実質的にシリンダー形の外側スリーブ（３７）を有しており、該外側スリーブの周囲の環状の凹所（３８）内にＯ形のシールリング（３９）を配置してあり、該シールリングが差込コネクタ（３１）の差込に際して圧力下で貫通案内（１９）の壁面（２０）に接触するようになっていることを特徴とする、並列配置可能なモジュールを備えた電気的な装置。
【請求項２】
アクチュエータ及び／又はセンサー並びにフィールドバスのための差込接続部（５，６）を備えた電気的な装置、殊にフィールドバス・加入者ユニット（１）であって、ケーシング（７）を備えていて互いに並列配置可能なモジュール（２，３）から成っており、該モジュールが電気的な信号及び作動電圧の転送のためのブリッジ部材（４）によって互いに接続可能であり、各ブリッジ部材（４）がそれぞれ２つの差込コネクタ（３１）を有し、かつ各モジュール（２，３）がそれぞれ２つの対応差込コネクタ（２５，２６）を有しており、各ブリッジ部材（４）の差込コネクタ（３１）が並んで位置する２つのモジュール（２，３）の互いに向き合わされた両方の対応差込コネクタ（２５，２６）に差しはめ可能である形式のものにおいて、差込コネクタに対応してブリッジ部材にシリンダー形の貫通案内が配置されており、各対応差込コネクタがそれぞれ１つの実質的にシリンダー形の外側スリーブを有しており、該外側スリーブの周囲の環状の凹所内にＯ形のシールリングを配置してあり、該シールリングが差込コネクタの差込に際して圧力下で貫通案内の壁面に接触するようになっていることを特徴とする、並列配置可能なモジュールを備えた電気的な装置。
【請求項３】
外側スリーブ（３７）がブリッジ部材（４）若しくはモジュールケーシング（７）と一体的である請求項１又は２記載の電気的な装置。
【請求項４】
貫通案内（１９）及び環状の凹所（３８）の相対する互いに実質的に平行なシールリング・支持面が差込軸線に対して傾斜している請求項１から３のいずれか１項記載の電気的な装置。
【請求項５】
モジュールケーシング（７）が段部（１７）を有しており、段部の底面（１８）に貫通案内（１９）が、請求項２の構成の場合には外側スリーブが配置されており、段部の高さが、差し込まれたブリッジ部材（４）の、底面（１８）から突出する部分に相応しており、かつ段部の奥行きがほぼブリッジ部材（４）の奥行きに相応している請求項１から４のいずれか１項記載の電気的な装置。
【請求項６】
アクチュエータ、センサー及びフィールドバスのための差込接続部（５，６）が、モジュールケーシング（７）内に沈め込まれ、若しくは少なくともモジュールケーシングの上面（１２）と同一面を成している請求項１から５のいずれか１項記載の電気的な装置。
【請求項７】
モジュールケーシング（７）が段部（１７）の領域で貫通案内（１９）間、請求項２の構成では外側スリーブ間の中央に仕切壁（２４）及び、モジュールケーシング（７）の接続側の端面（２２）と同列で仕切壁（２４）と交差して側方へ延びる横ウエブ（２３）を有しており、この場合、横ウエブ（２３）及び仕切壁（２４）の高さが最大で段部（１７）の高さと同じである請求項５又は６記載の電気的な装置。
【請求項８】
横ウエブ（２３）及び仕切壁（２４）がモジュールケーシング（７）と一体的である請求項７記載の電気的な装置。
【請求項９】
モジュールケーシング（７）が相対する側壁（１４，１４′）に、Ｔ字形の突起部（１５）若しくは、該突起部（１５）を実質的に遊びなく受容するための、モジュールケーシング（７）の上面（１２）に向かって開かれた対応する受容部を有している請求項１から８のいずれか１項記載の電気的な装置。
【請求項１０】
モジュールケーシング（７）の段部（１７）と逆の側の端面側に、タイトルブロック（４３）及び表示部材（４４）の受容のための書見台状に傾斜された面（１３）が設けられている請求項１から９のいずれか１項記載の電気的な装置。
【請求項１１】
すべてのタイトルブロック（４３）及び表示部材（４４）が、傾斜された面（１３）に配置されている請求項１０記載の電気的な装置。
【請求項１２】
モジュールケーシング（７）が組み込み平面上での支持のための足部（９）を有しており、該足部の支持面がケーシング底部（８）から離れている請求項１から１１のいずれか１項記載の電気的な装置。
【請求項１３】
側部（９）がモジュールケーシング（７）と一体的であって、かつ取り付けねじのための貫通部（２７）を備えている請求項１２記載の電気的な装置。
【請求項１４】
ケーシング底部（８）が槽状に形成されていて、モジュールケーシング（７）の端面（２２，２２′）に向かって狭くなっている請求項１２又は１３記載の電気的な装置。
【請求項１５】
ケーシング底部（８）が網目状に配置された隆起部（ドーム）（２８）を有している請求項１から１４のいずれか１項記載の電気的な装置。
【請求項１６】
ドーム（２８）が管状に形成されている請求項１５記載の電気的な装置。
【請求項１７】
ドーム（２８）がケーシング底部（８）と一体的である請求項１５又は１６記載の電気的な装置。
【請求項１８】
モジュール（２，３）がそれぞれ回路プレート（１０）を有しており、該回路プレートにアクチュエータ、センサー及びフィールドバスのための対応差込コネクタ（２５，２６）及び場合によっては差込接続部（５，６）が電気的に接続されていてかつ機械的に取り付けられている請求項１から１７のいずれか１項記載の電気的な装置。
【請求項１９】
回路プレート（１０）がモジュールケーシング（７）内にプレス嵌めされている請求項１８記載の電気的な装置。
【請求項２０】
ブリッジ部材（４）が作動電圧の供給のための装置差込コネクタ（３３）を有している請求項１から１９のいずれか１項記載の電気的な装置。
【請求項２１】
作動電圧の供給のための導体が各ブリッジ部材（４）の１つの差込コネクタ（３１）にのみ配置されている請求項２０記載の電気的な装置。
【発明の詳細な説明】
【０００１】
本発明は、互いに並列配置可能及びブリッジ部材によって互いに電気的に接続可能なモジュールを備えた、請求項１及び２の上位概念に記載の形式の電気的な装置に関する。
【０００２】
このような装置（例えばドイツ連邦共和国実用新案出願第２９７０３３６７Ｕ１号明細書により公知である）は、技術的なプロセスの制御及び監視のためのバスシステム内の加入者装置として用いられ、この場合、センサー及びアクチュエータが装置差込コネクトを介してモジュールに接続されている。
【０００３】
ブリッジ部材とモジュールとの間の接続箇所の密閉のために、前記公知技術では互いに係合する構成部分が形状接続的(formschluessig)に形成されている。このような構成は、必要な製作精度に基づき製造コストを高めてしまう。しかも、得られるシール作用が低い。シール作用の改善のために公知の装置では（ドイツ連邦共和国実用新案出願第２９６０７５２５Ｕ１号明細書で公知の装置でも）、付加的なシール、例えば扁平シールを用いるようになっており、シールがモジュール内へのブリッジ部材の差込に際してモジュールケーシングの袋孔内の、接点支持体として役立つ底部部分に向けて押圧される。このために必要な圧力を形成するために、公知の装置ではねじを設けてあり、ねじがブリッジ部材の孔を通してモジュールケーシングのねじ孔内にねじ込まれる。このようなねじ固定なしには、ブリッジ部材が、特に装置を機械に使用する場合に不安定で、即ちずれ動き、かつ差込接続部の接点が振動してしまうことになる。
【０００４】
従って本発明の課題は、冒頭に述べた種類の電気的な装置を改善して、この場合にできるだけ簡単かつ経済的な形式でブリッジ部材とモジュールとの間の接続箇所が、高い要求（安全基準IP 67[Schutzart IP 67]）にとって十分なシール性を有しており、かつ付加的な固定手段なしに差込コネクタのできるだけ高い引っ張り力並びに差込コネクタの耐振性の接触が保証されるようにすることである。
【０００５】
前記課題が、請求項１及び２に記載の構成によって解決される。
【０００６】
貫通案内の筒状の構造によってシール手段として、安価で効果的なＯ形のシールリングを用いることができ、該シールリングが実質的に半径方向に作用するシール力を、支持面間の相互の所定の間隔においてシールリング自体の寸法及び材料特性に基づき生ぜしめ、従って相互の圧着のための付加的な処置若しくは例えば対応支承部としての支持面のような装置を必要としない。さらに、シールリングは差込コネクタ若しくは（請求項２の構成では）対応差込コネクタの外側スリーブへの被せはめによって極めて容易に組み込まれ、ドイツ連邦共和国実用新案出願第２９７０３３６７Ｕ１号明細書により公知の装置におけるように煩雑な方法で袋孔内に、若しくは袋孔内の底部の溝内にはめ込まれなくてよい。さらに貫通案内が袋孔よりも極めて安価に形成可能である。貫通案内及び所属の接点支持体は電気的な装置の分離された構成部分に配置されていてよく、これによって製造も組み立ても極めて簡単になり、かつ多様な使用が可能である。貫通案内が請求項１及び請求項２の構成に基づきモジュールケーシング若しくはブリッジ部材内に配置されており、所属の接点支持体が互いに独立的にモジュール若しくはブリッジ部材内の回路プレートに配置されている。さらにＯ形のシールリングを保持する外側スリーブが、貫通案内の壁に対する形状接続部(Formschluss)を有しておらず、従って製造が極めて簡単かつ経済的である。
【０００７】
シールリングの締め付け力が適切な材料選択及び支持面間の間隔の寸法に基づき大きくなっており、ほぼ１０ｋｇまでの差込及び引っ張り(引き抜き)力が達成され、ひいては通常はブリッジ部材の固定のための特別な付加的な手段が不必要である。これによって、製造及び組み立てコストの著しい減少という利点だけではなく、取り扱いの容易な利点もあり、それというのはブリッジ部材が例えば故障の際のモジュールの交換のために手で差込可能及び引き抜き可能であるからである。
【０００８】
従属請求項に、請求項１及び２に記載の電気的な装置の有利な実施態様及び改良が記載してある。
【０００９】
請求項３に記載の実施態様は、付加的なシール手段なしに貫通案内内への外側スリーブの差込箇所においてもシール性を保証している。
【００１０】
請求項４に記載のＯ形のシールリングのための支持面の傾斜の配置によって、付加的な費用をかけることなしに、差込及び引っ張り力がシールリングの特性及び寸法に左右されることなくほぼ１５ｋｇまで増大でき、それというのはシールリングの、支持面に対して垂直に向けられた締め付け力が支持面の傾斜に基づき、差込方向で力成分を受けるからである。このような高い引っ張り力並びに弾性的なシールリングの振動減衰作用に基づき、電気的な装置が、強く振動する機械の組み立て面への取り付けにとっても付加的な固定装置なしに適している。
【００１１】
請求項５に記載のモジュールケーシングの構成及び請求項６に記載のアクチュエータ、センサー及びフィールドバスのための差込接続部の配置が、構成高さの小さいコンパクトな装置を可能にし、このような装置は小さいスペースに使用可能である。
【００１２】
請求項７に記載の仕切壁及び横ウエブによって、極端な場合若しくは衝撃に際の軽い傾倒に対するブリッジ部材の確実な保持が保証され、その結果、この場合にも高いシール作用及び高い引っ張り力が保証される。この場合寸法は、モジュールケーシングのコンパクト化が一体的な成形によって実質的に付加的なコストなしに達成される（請求項８）。
【００１３】
請求項９に本発明に基づく装置の簡単かつ有利な構成が記載してあり、該構成によってモジュールが互いに手で固定（必要に応じて互いに分離）される。スリット内での突起部の正確な案内によって、隣接のモジュールの互いに向き合わされた対応差込コネクタ間の中心間隔が、ブリッジ部材の差込コネクタ間の中心間隔に常に正確に対応せしめられ、これによって貫通案内内への差込コネクタの軸線方向の正確な同心的な差込、ひいては最適なシール作用及び保持作用が保証される。
【００１４】
請求項１０に記載のモジュールケーシングの書見台状の構成によって利点として、傾斜面（書見台面）上に配置されたタイトルブロック及び表示部材が装置を水平に配置する場合にも壁面に配置する場合にも良好に見られる。特に有利には、すべてのタイトルブロック及び表示部が傾斜面に配置してある（請求項１１）。
【００１５】
請求項１２に記載のモジュールケーシングの構成においてはケーシング底部と組み込み平面との間に間隙が設けられており、該間隙を通して空気流（対流）が生じ、従ってモジュールから発生する損失熱が効果的に排出される。ドイツ連邦共和国実用新案出願第２９６０７５２５号明細書及び第２９７０３３６７号明細書に記載の、モジュールを間隔なしに組み立て薄板上に配置する公知技術に比べて、本発明に基づき形成された装置においては運転温度が低く、ひいてはモジュールの耐用年数が高められている。特に有利には請求項１３に記載の実施態様に基づき、側部が例えば射出成形によってモジュールケーシングと一体的に形成され、かつモジュールのねじ固定のための孔を備えている。ケーシング孔と組み立て面との間の対流、ひいては熱排出が、ケーシング底部を請求項１４の実施態様に基づき形成してある場合には特に強く行われる。モジュールのさらに増大された冷却が、請求項１５及び１６の実施態様によって達成され、このためにケーシング底部が熱排出のためのできるだけ大きな表面、即ち管状のドーム(rohrfoermiger Dom)を有している。この場合、ドームの横断面が任意に、例えば方形若しくは円形に形成されていてよい。ドームの網目状の配置によって、ドーム間に流れ方向に延びる通路が形成され、損失熱の排出がさらに容易に行われる。請求項１７に記載の実施態様に基づきドームとケーシング底部とを一体的に形成することによって、製造コストが節減され、かつケーシング底部からドーム表面への最適な熱伝達が保証される。
【００１６】
特に請求項１２乃至１７に記載の構成によって、装置の耐用年数の増大が達成される。
【００１７】
有利には、電気的な切換部材の受容及び内部の導体接続のために回路プレートを用いてあり（請求項１８）、回路プレートが請求項１９に記載の実施態様に基づき簡単かつ経済的にモジュールケーシング内に取り付けられてよい。本発明により貫通案内と所属の対応差込コネクタ若しくは差込コネクタとの可能な分離に基づき、対向差込コネクタ若しくは差込コネクタが請求項１８に記載の実施態様に基づき回路プレートに取り付けられてよく、この場合、コネクタの接点部材が付加的な接続導線なしに直接に回路プレートの所属の導体路に接続される。
【００１８】
請求項２０に記載のブリッジ部材の有利な構成では、モジュール内への作動電圧の、バスラインに左右されない供給が可能である。このために導体横断面が個別の例で所望の供給電流に適合可能であり、例えば高い電流に設定されていて、複数のセンサー、特にアクチュエータに給電できるようになっている。このことは、バスラインを介した作動電圧の供給においては不可能であり、従って例えばドイツ連邦共和国実用新案出願第２９６０７５２５Ｕ１号明細書により公知の装置においては付加的な供給・構成部分ASI が使用されている。このような付加的な装置は、請求項２０に記載の本発明に基づくブリッジ部材においては不要である。
【００１９】
多くの使用例では個別のアクチュエータ及びアクチュエータの各グループにとって、非常時に残りの加入部分にバスラインを介して影響を及ぼすことなしに、所定のアクチュエータへの作動電圧を緊急遮断可能にしたい場合には、分離された作動電圧回路が望まれる。このことは請求項２１に記載のブリッジ部材の構成によって簡単かつ経済的に可能であり、該ブリッジ部材がそれぞれ当該のモジュールに差し込まれる。このようなブリッジ部材によって、作動電圧供給に関連した個別の使用例の種々の要求への柔軟な適合が可能である。これに対して、公知の装置においてはアクチュエータ及びセンサーがすべて同時にしか供給されない。
【００２０】
次に、本発明を請求項１に記載のフィールドバス・加入者ユニットの形の図示の実施例に基づき詳細に説明する。
【００２１】
フィールドバス・加入者ユニット１はフィールドバス・接続モジュール２及び、図示してないアクチュエータ及びセンサーの制御及び監視のための４つのI/O・モジュール（入力・出力モジュール[Input/Output-Modul]）３から成っており、I/O・モジュールが内部の信号及び動作電圧導線によってブリッジ部材４を介して互いに接続され、かつフィールドバス・接続モジュール２に接続されていて、アクチュエータ及びセンサーとの接続のための差込接続部５を備えている。
【００２２】
フィールドバス・接続モジュール２がコネクタ６を介してフィールドバスに接続されていて、一方で、I/O・モジュール３から内部の信号導線を経て得られたセンサー信号をフィールドバスに送りかつ、他方でフィールドバスから送信された制御信号を、I/O・モジュール３を介してアクチュエータへ送るようになっている。
【００２３】
I/O・モジュール３が、ケーシング底部(Gehaeuseboden)８及び足部９を備えた教卓形若しくは書見台形(pultfoermig)のモジュールケーシング７並びに回路プレート１０を有しており、回路プレートが差込接続部５を保持しており、差込接続部がモジュールケーシング７の上面１２の切欠き１１を貫通して、該上面とほぼ同一面を成している。傾斜面１３に、モジュール２，３のすべてのタイトルブロック４２及びLED・表示エレメント４３が配置されている。モジュールケーシング７及びフィールドバス・接続モジュール２は一方の側壁１４に横断面Ｔ字形の突起部１５を備えかつ、I/O・モジュール３の他方の側壁１４′に、該突起部に適合されて上側の開いた案内スリット１６を備えている。１つのモジュールケーシング７の突起部１５を隣接のモジュールケーシング７の案内スリット１６内に差し込むことによって、I/O・モジュール３及びフィールドバス・接続モジュール２が互いに簡単に並列配置される。モジュールケーシング７は、傾斜面１３と相対する側に段部１７を有しており、該段部の底面(Grundflaeche)１８内に、シリンダー状(zylindrisch)の壁面２０を有するつば状（カラー状）の２つの貫通案内１９が配置されている。各モジュール３の貫通案内１９間の中央でかつ段部１７の端面２１と、モジュールケーシング７の接続側の端面２２と同一面を成す横ウエブ２３との間に仕切壁２４が設けられており、この場合、横ウエブ２３及び仕切壁２４の高さが段部の端面２１の高さに相応している。
【００２４】
回路プレート１０上には、図２には示してないものの２つの接点支持体２５を貫通案内１９の領域内に位置決めして配置してあり、各接点支持体がそれぞれ２８個の差込ブッシュ２６を備えており、差込ブッシュが回路プレート１０の所属の接点若しくは導体路に接続されている。
【００２５】
足部９が、モジュールケーシング７の場合によって必要なねじ固定のために長孔２７を有していて、ケーシング下面から突出しており、従って、ケーシング底部８と組み立て面との間に中間スペースが形成されるようになっており、該中間スペースによって空気流が生ぜしめられ、該空気流によって、包み込まれ（カプセル化され）たI/O・モジュール３及びフィールドバス・接続モジュール２内に発生する損失熱の大部分が排出される。このような有利な作用がケーシング底部８を槽状若しくはタブ状(wannenfoermig)に形成することによってさらに増大されて、この場合、モジュール２，３の端面側に向かって狭められていてかつ、網目状に配置されたドーム２８を有しており、該ドームにより増大した表面に基づき高い熱量が排出可能である。
【００２６】
ブリッジ部材４が直方体状のケーシング本体２９及び、底面３０に設けられた２８-極形の２つの差込コネクタ３１を有しており、この場合、両方の差込コネクタ間の中心間隔と隣接の２つのI/O・モジュール３の互いに向き合う貫通案内１９間の中心間隔とは互いに同じ大きさである。さらに、４つのブリッジ部材４のうちの２つに６極形の装置差込コネクタ３３が設けられている。
【００２７】
ケーシング本体２９の寸法が、隣接する２つのモジュール２．３の仕切壁２４間、並びに横ウエブ２３と段部１７の端面２１との間の空間の寸法に相応しており、この場合、カバー面３２がブリッジ部材４の組み込まれた状態でモジュールケーシング７の上面１２と同列（同一面）を成している。
【００２８】
差込コネクタ３１がそれぞれ、差込ブッシュ２６と合致した２８個の差込ピン３６の受容のための、基板３４に結合された支持体３５、及び差込ピンを取り囲むほぼシリンダー形（筒形）の外側スリーブ３７から成っており、外側スリーブが周壁面の環状の凹所３８内にO形のシールリング３９を保持している。凹所３８の内壁面４０並びにモジュールケーシング７の貫通案内の壁面２０が差込軸線に対してほぼ１０゜の角度を成して傾斜している。該傾斜が差込方向で力成分を生ぜしめるようになっており、支持面２０，４０間の間隔並びにシールリング３９の適切な寸法並びにシールリングの材料特性に基づき、ほぼ１５ｋｇの高い引っ張り力が得られ、その結果、機械の強く振動する部分へのフィールドバス・加入者ユニット１の組み込みも付加的な固定手段なしに可能である。
【００２９】
装置差込コネクタ３３がそれぞれ６つの接点ピン４２を有しており、該接点ピンが、基板３４上で配線回路にろう付けされて絶縁部分４１内に保持されていてかつ、ケーシング本体２９及び絶縁部分４１と一体的な外側へ突出するつば４６によって取り囲まれている。
【００３０】
フィールドバス・加入者ユニット１の組み立てに際しては、まずフィールドバス・モジュール２及びI/O・モジュール３が、側壁１４に設けられたＴ字形の突起部１５を、側壁１４′に設けられた案内スリット１６内に差し込んで当接させることによって互いに並列配置され、必要に応じて足部９で以て組み込み平面にねじ結合される。これによってモジュールケーシング７が互いに分離可能に目標位置で結合されており、このような実質的に遊びのない正確な案内によって、隣接のモジュールケーシング７の互いに向き合わされた貫通案内１９間の正確な目標間隔が保証されており、その結果、差込コネクタ３１がブリッジ部材４の引き続く接続に際して傾倒することなく、若しくは差込軸線に対して傾斜することなく対応差込コネクタ２５，２６内に差し込まれる。これによって、シールリング３９が全周で均一に貫通案内１９の壁面２０に圧着されて、最大のシール作用が常に得られる。
【００３１】
フィールドバス・加入者ユニット１の端部に配置されたI/O・モジュール３においては、ブリッジ部材によって接続されなかった最後の対応差込コネクタが閉鎖キャップ４５によって覆われる。
【００３２】
アクチュエータ及びセンサーの差込接続部５に接続された内部の信号通路（回路プレート１０上の導体回路）が、対応差込コネクタの差込ブッシュ２６及び差込コネクタ３１の差込ピン３６並びに基板３４の導体回路を介してI/O・モジュール３を経てフィードバス・接続モジュール２に導かれる。
【００３３】
４つのI/O・モジュール３のうちの２つが装置差込コネクタ３３を有しており、該装置差込コネクタを通してブリッジ部材４のそれぞれ１つの差込コネクタ３１を介して、それぞれ２つのI/O・モジュール３を含む互いに分離された２つのアクチュエータ回路内のアクチュエータのための作動電圧が供給され、該アクチュエータ回路は非常時に互いに個別に遮断可能である。装置差込コネクタ３３の接点ピン４２が、図示の実施例では８アンペアの電流に対応して形成されている。アクチュエータへの支障のない電流供給のために、基板３４と回路プレート１０との複数の導体回路並びに細い複数の差込ピン３６及び差込ブッシュ２６が並列接続されている。
【００３４】
最終的にセンサ及びアクチュエータがフィードバス・接続モジュール２及びI/O・モジュール３の差込接続部５に接続され、かつフィードバス・接続モジュール２が差込コネクタ６を介してフィールドバスに接続される。このような簡単かつ迅速な組み立てによって、フィールドバス・加入者ユニットが機能可能になる。例えば故障時若しくは要求の変化へのユニット全体の適合のためのモジュールの交換も、本発明に基づき形成されたフィールドバス・加入者ユニット１においてはドイツ連邦共和国実用新案出願公開第２９６９７５２５Ｕ１号明細書により公知の装置ユニットと異なって、グループ全体の個別のモジュールの位置に左右されることなく簡単に可能である。２つのブリッジ部材４（ユニットの最後のI/O・モジュール３の場合には１つのブリッジ４）を抜き取るだけで、かつ場合によってはモジュール足部９のねじ結合部を緩めることによって、個別の任意のモジュールがグループから外され、かつ新たに迅速に装着され得る。
【図面の簡単な説明】
【図１】  フィールドバス・加入者ユニットの斜視図
【図２】  対応差込コネクタを取り除いた状態で示す個別モジュールの斜視図。
【図３】  ブリッジ部材の側面図（図３ａ）、供給側の平面図（図３ｂ）及び差込側の平面図（図３ｃ）。
【図４】  １つのブリッジ部材によって接続された２つのモジュールの断面図。
【符号の説明】
１  フィードバス・加入者ユニット、  ２  フィードバス・接続モジュール、  ３  I/O・モジュール、  ４  ブリッジ部材、  ５  差込接続部、  ６  コネクタ、  ７  モジュールケーシング、  ８  モジュールケーシングの底部、  ９  足部、  １０  回路プレート、  １１  切欠き、  １２  上面、  １３  傾斜面、  １４  側壁、  １５  突起部、  １６  案内スリット、  １７  段部、  １８  底面、  １９  貫通案内、  ２０  壁面、  ２１，２２  端面、  ２３  横ウエブ、  ２４  仕切壁、  ２５  接点支持体、  ２６  差込ブッシュ、  ２７  長孔、  ２８  ドーム、  ２９  ケーシング本体、  ３０  ベース面、  ３１  差込コネクタ、  ３２  カバー面、  ３３  装置差込コネクタ、  ３４  基板、  ３５  支持体、  ３６  差込ピン、  ３７  外側スリーブ、  ３８  凹所、  ３９  シールリング、  ４０  内壁面、  ４１  絶縁部分、  ４２  接点ピン、  ４２  タイトルブロック、  ４３  LED・表示エレメント、  ４５  閉鎖キャップ、  ４６  つば
【図１】
0003723774.tif 000002
【図２】
0003723774.tif 000003
【図３】
0003723774.tif 000004
【図４】
0003723774.tif 000005